(57)【特許請求の範囲】
【請求項１】
原子力関連施設を構成する各種の構成物と前記原子力関連施設に設備された各種の設備物とのうちの少なくとも一方の解体に利用される解体用テープにおいて、
前記解体用テープが、各種複数の形によって複数種類に区別され、連続する番号を表す印刷可能な複数のバーコードが、前記解体用テープの一方の面に表示されて該解体用テープの長さ方向へ等間隔離間した状態で連続して一列に並び、前記解体用テープを解体前の前記構成物や前記設備物に貼付可能な粘着剤が、該テープの他方の面に塗布され、
前記解体用テープでは、前記原子力関連施設を構成する各種の構成物の属性または前記原子力関連施設に設備された各種の設備物の属性が該テープの形に関連付けられているとともに、該テープの形を表すコードが該テープに表示されたバーコードに含まれ、
前記解体用テープは、解体前の前記構成物や前記設備物に貼付された後、前記解体用テープのバーコードが表す連続する番号のうちの先頭番号と最後尾番号とがバーコードリーダによって読み取られるとともに、前記先頭番号から前記最後尾番号までの連続する番号が前記構成物または前記設備物に関連付けられ、前記構成物や前記設備物を該テープの少なくとも１つのバーコードが読み取り可能に残存する複数個の解体物に解体した後、各解体物に残存する少なくとも１つのバーコードの番号を前記バーコードリーダによって読み取ることによって、前記解体物が解体される前の前記構成物または前記設備物を特定可能であり、該テープの形とその形に対応した前記構成物の属性または前記設備物の属性を特定可能であることを特徴とする解体用テープ。
【請求項２】
前記解体用テープは、各種複数の色によって複数種類に区別され、前記構成物の属性または前記設備物の属性が該テープの色によって認識可能である請求項１に記載の解体用テープ。
【請求項３】
前記解体用テープに表示されたバーコードには、該テープの色を表すコードが含まれ、前記解体用テープは、前記構成物の属性または前記設備物の属性が該テープの色に関連付けられ、前記構成物や前記設備物を解体した後、各解体物に残存する少なくとも１つのバーコードを前記バーコードリーダによって読み取ることによって、該テープの色とその色に対応した前記構成物の属性または前記設備物の属性を特定可能である請求項２に記載の解体用テープ。
【請求項４】
前記解体用テープは、色彩の各種複数の濃淡によって複数種類に区別され、前記構成物の属性または前記設備物の属性が該テープの色彩の濃淡によって認識可能である請求項１ないし請求項３いずれかに記載の解体用テープ。
【請求項５】
前記解体用テープに表示されたバーコードには、該テープの色彩の濃淡を表すコードが含まれ、前記解体用テープは、前記構成物の属性または前記設備物の属性が該テープの色彩の濃淡に関連付けられ、前記構成物や前記設備物を解体した後、各解体物に残存する少なくとも１つのバーコードを前記バーコードリーダによって読み取ることによって、該テープの色彩の濃淡とその濃淡に対応した前記構成物の属性または前記設備物の属性を特定可能である請求項４に記載の解体用テープ。
【請求項６】
前記解体用テープは、各種複数の記号によって複数種類に区別され、前記構成物の属性または前記設備物の属性が該テープの記号によって認識可能である請求項１ないし請求項５いずれかに記載の解体用テープ。
【請求項７】
前記解体用テープに表示されたバーコードには、該テープの記号を表すコードが含まれ、前記解体用テープは、前記構成物の属性または前記設備物の属性が該テープの記号に関連付けられ、前記構成物や前記設備物を解体した後、各解体物に残存する少なくとも１つのバーコードを前記バーコードリーダによって読み取ることによって、該テープの記号とその記号に対応した前記構成物の属性または前記設備物の属性を特定可能である請求項６に記載の解体用テープ。
【請求項８】
前記構成物の属性または前記設備物の属性が、前記原子力関連施設における構成物または設備物の放射性物質による汚染レベルである請求項１ないし請求項７いずれかに記載の解体用テープ。
【請求項９】
前記構成物の属性または前記設備物の属性が、前記原子力関連施設における構成物または設備物の危険性である請求項１ないし請求項８いずれかに記載の解体用テープ。
【請求項１０】
前記構成物の属性または前記設備物の属性が、前記原子力関連施設における構成物または設備物の材質である請求項１ないし請求項９いずれかに記載の解体用テープ。
【請求項１１】
前記構成物の属性または前記設備物の属性が、前記原子力関連施設における構成物または設備物の名称である請求項１ないし請求項１０いずれかに記載の解体用テープ。
【請求項１２】
前記構成物の属性または前記設備物の属性が、前記原子力関連施設における構成物または設備物の解体期間である請求項１ないし請求項１１いずれかに記載の解体用テープ。
【発明の詳細な説明】
【技術分野】
【０００１】
本発明は、原子力関連施設を構成する各種の構成物と前記原子力関連施設に設備された各種の設備物とのうちの少なくとも一方の解体に利用される解体用テープに関する。
【背景技術】
【０００２】
建築物の部屋を形成する表層部材で覆われてその表層部材の内部に配置された再利用可能な内部部材を損傷させることなく、建築物を解体する解体方法がある（特許文献１参照）。この解体方法では、内部部材の情報を記憶したＲＦＩＤをあらかじめ内部部材に取り付け、解体前に表層部材の表面を探知装置を利用して走査し、ＲＦＩＤに記憶された情報を取得するとともに、ＲＦＩＤに記憶された情報に基づいて内部部材の種別および位置を特定する。
【先行技術文献】
【特許文献】
【０００３】
【特許文献１】特開２００８−２５５６８０号公報
【発明の概要】
【発明が解決しようとする課題】
【０００４】
前記特許文献１に開示の建築物の解体方法は、ＩＣチップを有するＲＦＩＤを利用して内部部材の情報をそのＲＦＩＤに格納し、そのＲＦＩＤを内部部材に取り付け、解体前に探知装置を利用して再利用可能な内部部材の種別と位置とを判定することで、表層部材に隠れた再利用可能な内部部材を確認することができる。しかし、建築物を解体した後の複数の解体物について、それらが属する建築物を解体後に特定することができず、建築物の解体後にそれら解体物が属していた建築物を追跡することができない。
【０００５】
特に、原子力関連施設における解体作業では、放射能汚染を厳格に防ぐ目的から、解体物が属する解体前の構成物や設置物を解体後に追跡かつ把握可能である必要があるとともに、解体物の属性が解体後に追跡かつ把握可能である必要があり、解体物の属性毎の管理が要求される。しかし、前記特許文献１に開示の解体方法では、原子力関連施設の解体に要求されるそのような条件を満足させることができない。
【０００６】
本発明の目的は、原子力関連施設を解体した後の解体物が属する構成物や設備物を解体後に特定することができ、原子力関連施設の構成物や設備物の解体後にそれら解体物が属していた構成物や設備物を追跡かつ把握することができる解体用テープを提供することにある。本発明の他の目的は、原子力関連施設を解体した解体物の属性を解体後に追跡かつ把握することができ、原子力関連施設を解体した解体物を属性毎に管理することができる解体用テープを提供することにある。
【課題を解決するための手段】
【０００７】
前記課題を解決するための本発明の前提は、原子力関連施設を構成する各種の構成物と原子力関連施設に設備された各種の設備物とのうちの少なくとも一方の解体に利用される解体用テープである。
【０００８】
前記前提における本発明の特徴としては、解体用テープが、各種複数の形によって複数種類に区別され、連続する番号を表す印刷可能な複数のバーコードが、前記解体用テープの一方の面に表示されて該解体用テープの長さ方向へ等間隔離間した状態で連続して一列に並び、解体用テープを解体前の構成物や設備物に貼付可能な粘着剤が、解体用テープの他方の面に塗布され、解体用テープでは、原子力関連施設を構成する各種の構成物の属性または原子力関連施設に設備された各種の設備物の属性が解体用テープの形に関連付けられているとともに、解体用テープの形を表すコードが解体用テープに表示されたバーコードに含まれ、解体用テープは、解体前の構成物や設備物に貼付された後、解体用テープのバーコードが表す連続する番号のうちの先頭番号と最後尾番号とがバーコードリーダによって読み取られるとともに、先頭番号から最後尾番号までの連続する番号が構成物または設備物に関連付けられ、構成物や設備物を解体用テープの少なくとも１つのバーコードが読み取り可能に残存する複数個の解体物に解体した後、各解体物に残存する少なくとも１つのバーコードの番号をバーコードリーダによって読み取ることによって、解体物が解体される前の構成物または設備物を特定可能であり、解体用テープの形とその形に対応した構成物の属性または設備物の属性を特定可能であることにある。
【０００９】
本発明の一例として、解体用テープは、各種複数の色によって複数種類に区別され、構成物の属性または設備物の属性が解体用テープの色によって認識可能である。
【００１０】
本発明の他の一例として、解体用テープに表示されたバーコードには、解体用テープの色を表すコードが含まれ、解体用テープは、構成物の属性または設備物の属性がテープの色に関連付けられ、構成物や設備物を解体した後、各解体物に残存する少なくとも１つのバーコードをバーコードリーダによって読み取ることによって、解体用テープの色とその色に対応した構成物の属性または設備物の属性を特定可能である。
【００１１】
本発明の他の一例として、解体用テープは、色彩の各種複数の濃淡によって複数種類に区別され、構成物の属性または設備物の属性が解体用テープの色彩の濃淡によって認識可能である。
【００１２】
本発明の他の一例として、解体用テープに表示されたバーコードには、解体用テープの色彩の濃淡を表すコードが含まれ、解体用テープは、構成物の属性または設備物の属性が解体用テープの色彩の濃淡に関連付けられ、構成物や設備物を解体した後、各解体物に残存する少なくとも１つのバーコードをバーコードリーダによって読み取ることによって、解体用テープの色彩の濃淡とその濃淡に対応した構成物の属性または設備物の属性を特定可能である。
【００１３】
本発明の他の一例として、解体用テープは、各種複数の記号によって複数種類に区別され、構成物の属性または設備物の属性が解体用テープの記号によって認識可能である。
【００１４】
本発明の他の一例として、解体用テープに表示されたバーコードには、解体用テープの記号を表すコードが含まれ、解体用テープは、構成物の属性または設備物の属性が解体用テープの記号に関連付けられ、構成物や設備物を解体した後、各解体物に残存する少なくとも１つのバーコードをバーコードリーダによって読み取ることによって、解体用テープの記号とその記号に対応した構成物の属性または設備物の属性を特定可能である。
【００１５】
本発明の他の一例としては、構成物の属性または設備物の属性が原子力関連施設における構成物または設備物の放射性物質による汚染レベルである。
【００１６】
本発明の他の一例としては、構成物の属性または設備物の属性が原子力関連施設における構成物または設備物の危険性である。
【００１７】
本発明の他の一例としては、構成物の属性または設備物の属性が原子力関連施設における構成物または設備物の材質である。
【００１８】
本発明の他の一例としては、構成物の属性または設備物の属性が原子力関連施設における構成物または設備物の名称である。
【発明の効果】
【００１９】
本発明にかかる解体用テープによれば、それが解体前の原子力関連施設の構成物や設備物に貼付され、バーコードが表す連続する番号のうちの先頭番号と最後尾番号とがバーコードリーダによって読み取られるとともに、先頭番号から最後尾番号までの連続する番号が構成物または設備物に関連付けられ、構成物や設備物を解体した後、各解体物に残存する少なくとも１つのバーコードの番号をバーコードリーダによって読み取ることによって、解体物が解体される前の構成物または設備物を特定することができるから、解体用テープに表示されたバーコードを利用することで、複数の解体物が属する構成物や設備物を各解体物毎に特定することができ、原子力関連施設の構成物や設備物の解体後にそれら解体物が属していた構成物や設備物を追跡かつ把握することができる。解体用テープは、原子力関連施設の構成物や設備物が細かく解体されて複数の解体物が発生したとしても、それら解体物に貼付された解体用テープのバーコードを介してそれら解体物の解体前の構成物や設備物を確実に特定することができるから、各解体物の解体前の構成物や設備物を明らかにすることができ、解体物の帰属不明を防ぐことができる。原子力関連施設における解体作業では、放射能汚染を厳格に防ぐ目的から、複数の解体物が属する構成物や設備物が解体後に追跡可能かつ把握可能であることが要求されるが、この解体用テープを利用することで、原子力関連施設の解体に要求されるそのような条件を満足させることができる。解体用テープは、それが各種複数の形によって複数種類に区別され、解体用テープの形を表すコードがバーコードに含まれ、構成物の属性または設備物の属性がテープの形に関連付けられ、構成物や設備物を解体した後、各解体物に残存する少なくとも１つのバーコードをバーコードリーダによって読み取ることによって、テープの形とその形に対応した構成物の属性または設備物の属性を特定可能であるから、構成物や設備物の解体後において解体用テープの形に対応した構成物および設備物の属性が出力され、解体用テープの形によって解体物が属する構成物や設備物の属性を各解体物毎に把握することができ、解体物を構成物毎や設備物毎であって属性毎に区分して管理することができる。
【００２０】
各種複数の色によって複数種類に区別され、構成物の属性または設備物の属性がその色によって認識可能な解体用テープは、構成物の解体後に解体用テープの色によって解体物が属する構成物の属性を各解体物毎に把握することができるとともに、設備物の解体後にテープの色によって解体物が属する設備物の属性を各解体物毎に把握することができるから、解体用テープを利用することで、解体物を構成物毎であって属性毎に区分して管理することができ、解体物を設備物毎であって属性毎に区分して管理することができる。
【００２１】
解体用テープの色を表すコードがバーコードに含まれ、構成物の属性または設備物の属性が解体用テープの色に関連付けられ、構成物や設備物を解体した後、各解体物に残存する少なくとも１つのバーコードをバーコードリーダによって読み取ることによって、解体用テープの色とその色に対応した構成物の属性または設備物の属性を特定可能な解体用テープは、構成物や設備物の解体後において解体用テープの色に対応した構成物および設備物の属性が出力されることで、解体用テープの色によって解体物が属する構成物や設備物の属性を各解体物毎に把握することができ、解体物を構成物毎や設備物毎であって属性毎に区分して管理することができる。
【００２２】
色彩の各種複数の濃淡によって複数種類に区別され、構成物の属性または設備物の属性がその色彩の濃淡によって認識可能な解体用テープは、構成物の解体後に解体用テープの色彩の濃淡によって解体物が属する構成物の属性を各解体物毎に把握することができるとともに、設備物の解体後に解体用テープの色彩の濃淡によって解体物が属する設備物の属性を各解体物毎に把握することができるから、解体用テープを利用することで、解体物を構成物毎であって属性毎に区分して管理することができ、解体物を設備物毎であって属性毎に区分して管理することができる。
【００２３】
解体用テープの色彩の濃淡を表すコードがバーコードに含まれ、構成物の属性または設備物の属性がテープの色彩の濃淡に関連付けられ、構成物や設備物を解体した後、各解体物に残存する少なくとも１つのバーコードをバーコードリーダによって読み取ることによって、解体用テープの色彩の濃淡とその濃淡に対応した構成物の属性または設備物の属性を特定可能な解体用テープは、構成物や設備物の解体後において解体用テープの色彩の濃淡に対応した構成物および設備物の属性が出力されることで、解体用テープの色彩の濃淡によって解体物が属する構成物や設備物の属性を各解体物毎に把握することができ、解体物を構成物毎や設備物毎であって属性毎に区分して管理することができる。
【００２４】
各種複数の記号によって複数種類に区別され、構成物の属性または設備物の属性がその記号によって認識可能な解体用テープは、構成物の解体後に解体用テープの記号によって解体物が属する構成物の属性を各解体物毎に把握することができるとともに、設備物の解体後に解体用テープの記号によって解体物が属する設備物の属性を各解体物毎に把握することができるから、解体用テープを利用することで、解体物を構成物毎であって属性毎に区分して管理することができ、解体物を設備物毎であって属性毎に区分して管理することができる。
【００２５】
解体用テープの記号を表すコードがバーコードに含まれ、構成物の属性または設備物の属性が解体用テープの記号に関連付けられ、構成物や設備物を解体した後、各解体物に残存する少なくとも１つのバーコードをバーコードリーダによって読み取ることによって、解体用テープの記号とその記号に対応した構成物の属性または設備物の属性を特定可能な解体用テープは、構成物や設備物の解体後において解体用テープの記号に対応した構成物および設備物の属性が出力されることで、解体用テープの記号によって解体物が属する構成物や設備物の属性を各解体物毎に把握することができ、解体物を構成物毎や設備物毎であって属性毎に区分して管理することができる。
【００２６】
構成物の属性または設備物の属性が原子力関連施設における構成物または設備物の放射性物質による汚染レベルである解体用テープは、解体用テープに表示されたバーコードを利用することで、解体物が属する構成物や設備物を解体後に追跡かつ把握することができる他、各解体物が属する構成物や設備物の放射性物質の汚染レベルを各解体物毎に管理することができ、解体物を介した放射能汚染を未然に防ぐことができる。解体用テープは、その色や濃淡、形、記号を利用することで、構成物や設備物の放射性物質による汚染レベルを各解体物毎に把握することができ、各解体物をそれらが属する構成物や設備物の汚染レベルに基づいて管理することができる。
【００２７】
構成物の属性または設備物の属性が原子力関連施設における構成物または設備物の危険性である解体用テープは、解体用テープに表示されたバーコードを利用することで、解体物が属する構成物や設備物を解体後に追跡かつ把握することができる他、各解体物が属する構成物や設備物の危険性を各解体物毎に管理することができ、解体物が属する構成物や設備物の危険性の不明を未然に防ぐことができる。解体用テープは、その色や濃淡、形、記号を利用することで、構成物や設備物の危険性を各解体物毎に把握することができ、各解体物をそれらが属する構成物や設備物の危険性の高低に基づいて管理することができる。
【００２８】
構成物の属性または設備物の属性が原子力関連施設における構成物または設備物の材質である解体用テープは、解体用テープに表示されたバーコードを利用することで、解体物が属する構成物や設備物を解体後に追跡かつ把握することができる他、各解体物が属する構成物や設備物の材質を各解体物毎に管理することができ、解体物が属する構成物や設備物の材質の不明を未然に防ぐことができる。解体用テープは、その色や濃淡、形、記号を利用することで、構成物や設備物の材質を各解体物毎に把握することができ、各解体物をそれらが属する構成物や設備物の材質に基づいて管理することができる。
【００２９】
構成物の属性または設備物の属性が原子力関連施設における構成物または設備物の名称である解体用テープは、解体用テープに表示されたバーコードを利用することで、解体物が属する構成物や設備物を解体後に追跡かつ把握することができる他、各解体物が属する構成物や設備物の名称を各解体物毎に管理することができ、解体物が属する構成物や設備物の名称の不明を未然に防ぐことができる。解体用テープは、その色や濃淡、形、記号を利用することで、構成物や設備物の名称を各解体物毎に把握することができ、各解体物をそれらが属する構成物や設備物の名称に基づいて管理することができる。
【００３０】
構成物の属性または設備物の属性が原子力関連施設における構成物または設備物の解体期間である解体用テープは、解体用テープに表示されたバーコードを利用することで、解体物が属する構成物や設備物を解体後に追跡かつ把握することができる他、各解体物が属する構成物や設備物の解体期間を各解体物毎に管理することができ、解体物が属する構成物や設備物の解体期間の不明を未然に防ぐことができる。解体用テープは、その色や濃淡、形、記号を利用することで、構成物や設備物の解体期間を各解体物毎に把握することができ、各解体物をそれらが属する構成物や設備物の解体期間に基づいて管理することができる。
【図面の簡単な説明】
【００３１】
【図１】一例として示す解体用テープの斜視図。
【図２】図１の解体用テープの平面図。
【図３】図２の３−３線端面図。
【図４】解体用テープを利用した解体物管理システムの概略構成図。
【図５】解体される原子力発電所の一例を示す図。
【図６】解体用テープが貼付された原子力発電所の壁の斜視図。
【図７】解体用テープが貼付された原子力発電所のダクトの斜視図。
【図８】壁の解体作業の一例を示す図。
【図９】ダクトの解体作業の一例を示す図。
【図１０】壁を解体した後の解体物を示す図。
【図１１】ダクトを解体した後の解体物を示す図。
【図１２】解体用テープの他の一例を示す図。
【図１３】解体用テープの他の一例を示す図。
【図１４】図１２に示す連番テープが貼付された壁の斜視図。
【図１５】各壁の解体作業の一例を示す図。
【図１６】各壁を解体した後の解体物を示す図。
【図１７】図１３に示す解体用テープが貼付されたダクトの斜視図。
【図１８】各ダクトの解体作業の一例を示す図。
【図１９】各ダクトを解体した後の解体物を示す図。
【図２０】解体用テープの他の一例を示す図。
【図２１】解体用テープの他の一例を示す図。
【図２２】解体用テープの他の一例を示す図。
【図２３】解体用テープの他の一例を示す図。
【発明を実施するための形態】
【００３２】
一例として示す解体用テープの斜視図である図１等の添付の図面を参照し、本発明にかかる解体用テープの詳細を説明すると、以下のとおりである。なお、図２は、図１の解体用テープ１０の平面図であり、図３は、図２の３−３線端面図である。図４は、解体用テープ１０を利用した解体物管理システム１３の概略構成図であり、図５は、図４の解体物管理システム１３を利用して解体される原子力発電所１６の一例を示す図である。
【００３３】
解体用テープ１０は、図１に示すように、その平面形状が細長い帯に成型され、その帯を巻き取った巻物状に加工されている。解体用テープ１０の表面には、連続する無制限の番号（たとえば、１，２，３・・・ｎの連続番号があるが、偶数２，４，６・・・ｎの連続番号や奇数１，３，５・・・ｎの連続番号等であってもよい）を表す複数のバーコード１１（識別コード）が表示（印刷）されている。それらバーコード１１は、テープ１０の長さ方向（一方向）へ等間隔離間した状態で連続して一列に並んでいる。解体用テープ１０は、合成樹脂シートまたは紙シート若しくは合成樹脂シートと紙シートとの複合シートから作られ、その裏面に粘着剤１２が塗布されている。なお、粘着剤１２が剥離紙（図示せず）によって被覆・保護されていてもよい。
【００３４】
図１，２には、バーコードとして、一次元バーコード１４を図示しているが、一次元バーコード１４の他に、ＱＲコード（登録商標）やベリコード、マキシコード等のマトリックス式の二次元バーコードを使用することもでき、Ｃｏｄｅ４９やＣｏｄｅ１６Ｋ、Ｃｏｄａｂｌｏｃｋ、ＳｕｐｅｒＣｏｄｅ等のスタック式の二次元バーコードを使用することもできる。また、カメレオンコードを使用することもできる。なお、バーコードの他に、デジタルマーク（識別コード）やカラーマーク（識別コード）を使用することもできる。
【００３５】
解体用テープ１０を利用する解体物管理システム１３は、テープ１０の他に、バーコードリーダ１４（識別コードリーダ）およびコンピュータ１５を備え、原子力発電所１６（原子力関連施設）を構成する各種の構成物の解体前管理および解体後管理を実行するとともに、原子力発電所１６に設備された各種の設備物の解体前管理と解体後管理とを実行する。なお、解体物管理システム１３は、原子力発電所１６のみならず、他の原子力関連施設（建造物）の解体にも利用することができる。他の原子力関連施設には、中間貯蔵施設、再処理工場、ＭＯＸ燃料工場、高速増殖炉、高速増殖炉用燃料工場、高速増殖炉用再処理工場、高レベル放射性廃棄物最終処分施設等がある。
【００３６】
原子力発電所１６は、中央制御室１７、タービン建屋１８、原子炉建屋１９から形成されている。原子力発電所１６の解体では、放射能漏れや放射能汚染を厳格に防ぐ目的から、解体物が厳しく管理されるとともに、解体物が属する解体前の構成物や設置物を解体後に追跡かつ把握可能であることが要求される。さらに、解体物が属する構成物や設備物の属性が解体後に追跡かつ把握可能であることが要求され、解体物の属性毎の管理が要求される。
【００３７】
バーコードリーダ１４は、インターフェイス（有線または無線）を介してコンピュータ１５に接続されている。図２には３台のバーコードリーダ１４が図示されているが、バーコードリーダ１４の台数に特に限定はなく、バーコードリーダ１４が１台または４台以上であってもよい。なお、各バーコードリーダ１４には、プライベートＩＰアドレスやＭＡＣアドレスが設定されており、それらアドレス情報に基づいて各バーコードリーダ１４を個別に特定することができる。デジタルマークを使用する場合は、バーコードリーダ１４に代えて、デジタルマークを読み取るデジタルマークリーダを使用し、カラーマークを使用する場合は、バーコードリーダ１４に代えて、カラーマークを読み取るカラーマークリーダを使用する。
【００３８】
バーコードリーダ１４は、解体用テープ１０に表示されたバーコード１１を読み取り、読み取ったバーコード１１が表すデータをデジタル信号としてコンピュータ１５に転送する。なお、図示はしていないが、各バーコードリーダ１４には、テンキーユニットやディスプレイが附属している。テンキーユニットを利用し、バーコードリーダ１４からコンピュータ１５に必要なデータを送信することができ、ディスプレイを利用し、バーコードリーダ１４からコンピュータ１５に送信するデータを表示、確認することができるとともに、コンピュータ１５からのメッセージを表示、確認することができる。
【００３９】
コンピュータ１５は、中央処理部（ＣＰＵまたはＭＰＵ）とメモリ（記憶部）とを有し、大容量ハードディスクを内蔵している。図１には３台のコンピュータ１５（携帯用ノート型コンピュータ）が図示されているが、コンピュータ１５の台数に特に限定はなく、コンピュータ１５が１台または４台以上であってもよい。解体前管理において各コンピュータ１５の１台に各バーコードリーダ１４の１台以上を接続してバーコード１１の読み取り作業やデータの格納作業が行われる。なお、コンピュータ１５には、プライベートＩＰアドレスやＭＡＣアドレスが設定されており、それらアドレス情報に基づいて各コンピュータ１５を個別に特定することができる。コンピュータ１５には、通信ポートが内蔵され、キーボード２９やマウス２１等の入力装置、ディスプレイ２２やプリンタ（図示せず）等の出力装置がインターフェイスを介して接続されている。
【００４０】
コンピュータ１５は、ホスト名とそのホスト名に割り当てるＩＰアドレスとの対応付けを設定するＤＮＳサーバ機能、ホームページを公開するために必要なＷｅｂサーバ機能、他のコンピュータや他のサーバからの要求を受け付けて各種情報を読み書きする機能を提供するデータベースサーバ機能、電子メールの送受信用のメールサーバ機能、作成された文章や画像等のデータをすべて保存してそれらのデータを検索可能にするドキュメントサーバ機能等を有する。各コンピュータ１５は、インターネットに接続可能であり、ネットワーク間において各種データを送受信可能である。ネットワーク内では、コンピュータ１５どうしで各種データを送受信可能である。
【００４１】
コンピュータ１５には、バーコードリーダ１４のアドレス情報やバーコードリーダ１４が読み取ったバーコード１１が表すデータがデジタル信号として入力される。コンピュータ１５のメモリには、解体物管理アプリケーションが格納されている。コンピュータ１５の中央処理部は、オペレーティングシステムによる制御に基づいて、メモリに格納された解体物管理アプリケーションを起動し、そのアプリケーションに従って後記する各手段を実行する。
【００４２】
図６は、解体用テープ１０が貼付された原子力発電所１９の壁２３の斜視図であり、図７は、解体用テープ１０が貼付された原子力発電所１９のダクト２４の斜視図である。図８は、壁２３の解体作業の一例を示す図であり、図９は、ダクト２４の解体作業の一例を示す図である。図１０は、壁２３を解体した後の解体物２５を示す図であり、図１１は、ダクト２４を解体した後の解体物２６を示す図である。図１０，１１では、解体物２５，２６を１つだけ示し、それら解体物２５，２６に貼付されたテープ１０のバーコード１１がバーコードリーダ１４によって読み取られている。なお、図６，７では、原子力発電所１６の構成物として壁２３を例示し、原子力発電所１６の設備物としてダクト２４を例示しているが、構成物や設備物をそれらに限定するものではなく、原子力発電所１６を構成する梁や柱、床スラブ等の他のあらゆる構成物が含まれるとともに、原子力発電所１６に設備される照明器具やタービン、発電機等の他のあらゆる設備物が含まれる。
【００４３】
解体用テープ１０を利用しつつ、原子力発電所１６（建造物）の壁２３（構成物）やダクト２４（設備物）を解体する手順を説明すると、以下のとおりである。解体対象の構成物（壁２３）や設備物（ダクト２４）を区分けし、区分けした構成物や設備物に解体用テープ１０を貼付する。具体的には、図６に示すように、壁２３の一面にテープ１０をランダムに貼付し、図７に示すように、ダクト２４の周面にテープ１０をランダムに貼付する。テープ１０の壁２３やダクト２４に対する貼付箇所や貼付長さに特に限定はなく、解体物のサイズや解体個数等を参酌し、壁２３やダクト２４の任意の箇所に貼付するとともに、壁２３やダクト２４に任意の長さを貼付することができる。また、壁２３やダクト２４に貼付するテープ１０に表示されたバーコード１１の数に特に限定はなく、任意の数のバーコード１１を貼付することができる。
【００４４】
テープ１０を壁２３に貼付した後、図６に示すように、テープ１０に表示されたバーコード１１のうち、先頭に位置するバーコード１１をバーコードリーダ１４によって読み込むとともに、最後尾に位置するバーコード１１をバーコードリーダ１４によって読み込む。なお、先頭に位置するバーコード１１と最後尾に位置するバーコード１１との間に並ぶ中間のバーコード１１は読み取らない。さらに、バーコードリーダ１４のテンキーユニットまたはコンピュータ１５のキーボード２０やマウス２１を利用し、原子力発電所１６の名称を入力し（ディスプレイ２２に表示された複数の原子力発電所１６のプルダウンリストから発電所名を選択することもできる。）、中央制御室、タービン建屋、原子炉建屋（名称）のいずれかを入力するとともに（ディスプレイ２２に表示された原子力発電所１６のプルダウンリストからそれらを選択することもできる。）、壁（名称）を入力する（ディスプレイ２２に表示された構成物表示のプルダウンリストから壁を選択することもできる）。
【００４５】
バーコードリーダ１４のテンキーユニットまたはコンピュータ１５のキーボード２０やマウス２１を利用し、原子力発電所１６の特定情報（名称、住所、地図、写真、電話番号、ＵＲＬ等）、中央制御室１７やタービン建屋１８、原子炉建屋１９の特定情報（名称、住所、地図、写真等）、解体期間（年月日〜年月日）、用途、建物容積等を入力するとともに（建造物属性入力）、壁２３の特定情報（中央制御室１７の１階、タービン建屋１８の入口等）、解体期間（年月日〜年月日）、材質（木製、コンクリート製、モルタル製、金属製等）、強度、放射性物質による放射性レベル、危険性等を入力する（構成物属性入力）。なお、入力可能な原子力発電所１６や中央制御室１７、タービン建屋１８、原子炉建屋１９の属性に特に限定はなく、例示の属性に限らず、他のあらゆる属性を入力することができる。また、入力可能な壁２３の属性に特に限定はなく、例示の属性に限らず、他のあらゆる属性を入力することができる。
【００４６】
バーコードリーダ１４は、読み取ったバーコード１１が表すデータ（番号データ）や入力されたデータをデジタルデータに変換し、それらデータをコンピュータ１５に転送する（キーボード２０やマウス２１からデータを入力した場合、バーコードリーダ１４は、読み取ったバーコード１１が表すデータのみをコンピュータ１５に転送する）。コンピュータ１５の中央処理部は、バーコードリーダ１４からそれらデータを受け取ると、原子力発電所１６や中央制御室１７、タービン建屋１８、原子炉建屋１９を特定する建造物特定識別番号（建造物特定識別子）を生成するとともに、壁２３（構成物）を特定する構成物特定識別番号（構成物特定識別子）を生成する。
【００４７】
それら識別番号を生成した後、コンピュータ１５の中央処理部は、建造物特定識別番号に構成物特定識別番号を関連付けるとともに、バーコードリーダ１４から転送された先頭番号から最後尾番号までの番号データ（たとえば、先頭番号が０００１、最後尾番号が００２０の場合、０００１〜００２０までの番号）を建造物特定識別番号と構成物特定識別番号とに関連付ける。
【００４８】
さらに、転送された建造物属性データを建造物特定識別番号と構成物特定識別番号とに関連付けるとともに、転送された構成物属性データを構成物特定識別番号に関連付ける。それらの関連づけが完了した後、中央処理部は、建造物特定識別番号、構成物特定識別番号、番号データ、建造物属性データ、壁２３の構成物属性データをハードディスクに格納する（構成物格納手段）。バーコードリーダ１４やコンピュータ１５のディスプレイ２２には、データ格納完了メッセージが表示される。
【００４９】
データ格納完了メッセージを確認した後、壁２３の解体作業を行う。解体作業では、図８に示すように、壁２３を細かく解体し、壁２３を複数個の解体物２５に分解する。解体された壁２３の解体物２５にはテープ１０が残存しており、そのテープ１０に表示されたバーコード１１が１つの場合、２つの場合、３つの場合等がある。なお、壁２３のそれら解体物２５に貼付されたテープ１０には、少なくとも１つのバーコード１１が読み取り可能に残存している。
【００５０】
テープ１０をダクト２４に貼付した後、図７に示すように、テープ１０に表示されたバーコード１１のうち、先頭に位置するバーコード１１をバーコードリーダ１４によって読み込むとともに、最後尾に位置するバーコード１１をバーコードリーダ１４によって読み込む。なお、先頭に位置するバーコード１１と最後尾に位置するバーコード１１との間に並ぶ中間のバーコード１１は読み取らない。さらに、バーコードリーダ１４のテンキーユニットまたはコンピュータ１５のキーボード２０やマウス２１を利用し、原子力発電所１６の名称を入力し、中央制御室、タービン建屋、原子炉建屋（名称）のいずれかを入力するとともに、ダクト（名称）を入力する（ディスプレイ２２に表示された設備物表示のプルダウンリストからダクトを選択することもできる）。
【００５１】
バーコードリーダ１４のテンキーユニットまたはコンピュータ１５のキーボード２０やマウス２１を利用し、原子力発電所１６の特定情報（名称、住所、地図、写真、電話番号、ＵＲＬ等）、中央制御室１７やタービン建屋１８、原子炉建屋１９の特定情報（名称、住所、地図、写真等）、解体期間（年月日〜年月日）、用途、建物容積等を入力するとともに（建造物属性入力）、ダクト２４の特定情報（中央制御室天井、タービン建屋天井、排気ダクト、給気ダクト等）、解体期間（年月日〜年月日）、材質（金属製、合成樹脂製等）、強度、放射性物質による放射性レベル、危険性等を入力する（設備物属性入力）。なお、入力可能なダクト２４の属性に特に限定はなく、例示の属性に限らず、他のあらゆる属性を入力することができる。
【００５２】
バーコードリーダ１４は、読み取ったバーコード１１が表すデータ（番号データ）や入力されたデータをデジタルデータとしてコンピュータ１５に転送する（キーボード２０やマウス２１からデータを入力した場合、バーコードリーダ１４は、読み取ったバーコード１１が表すデータのみをコンピュータ１５に転送する）。コンピュータ１５の中央処理部は、バーコードリーダ１４からそれらデータを受け取ると、原子力発電所１６や中央制御室１７、タービン建屋１８、原子炉建屋１９を特定する建造物特定識別番号（建造物特定識別子）を生成するとともに、ダクト２４（設備物）を特定する設備物特定識別番号（設備物特定識別子）を生成する。
【００５３】
それら識別番号を生成した後、コンピュータ１５の中央処理部は、建造物特定識別番号に設備物特定識別番号を関連付けるとともに、バーコードリーダ１４から転送された先頭番号から最後尾番号までの番号データ（たとえば、先頭番号が００３０、最後尾番号が００４０の場合、００３０〜００４０までの番号）を建造物特定識別番号と設備物特定識別番号とに関連付ける。
【００５４】
さらに、転送された建造物属性データを建造物特定識別番号と設備物特定識別番号とに関連付けるとともに、転送された設備物属性データを設備物特定識別番号に関連付ける。それらの関連づけが完了した後、中央処理部は、建造物特定識別番号、設備物特定識別番号、番号データ、建造物属性データ、ダクト２４の設備物属性データをハードディスクに格納する（設備物格納手段）。バーコードリーダ１４やコンピュータ１５のディスプレイ２２には、データ格納完了メッセージが表示される。
【００５５】
データ格納完了メッセージを確認した後、ダクト２４の解体作業を行う。解体作業では、図９に示すように、ダクト２４を細かく解体し、ダクト２４を複数個の解体物２６に分解する。解体されたダクト２４の解体物２６にはテープ１０が残存しており、そのテープ１０に表示されたバーコード１１が１つの場合、２つの場合、３つの場合等がある。なお、ダクト２４のそれら解体物２６に貼付されたテープ１０には、少なくとも１つのバーコード１１が読み取り可能に残存している。
【００５６】
壁２３を解体した解体物２５は、廃棄処分されるが、廃棄処分前や廃棄処分時、廃棄処分後に、図１０に示すように、バーコードリーダ１４を利用して解体物２５（壁２３の解体物２５）に貼付されたテープ１０のバーコード１１を読み取ることで、それら解体物２５が解体される以前の建造物（原子力発電所１６、中央制御室１７、タービン建屋１８、原子炉建屋１９）および構成物（壁２３）を確認することができるとともに、それら建造物および構成物の属性等を確認することができる。解体物２５に貼付されたテープ１０のバーコード１１を読み取ると、そのバーコード１１が表す番号データがバーコードリーダ１４からコンピュータ１５に転送される。コンピュータ１５の中央処理部は、バーコードリーダ１４から転送された番号データ（たとえば、０００７）とハードディスクに格納された番号データ（０００１〜００４０）とを比較し、解体物２５が壁２３の解体物２５であると判断する（構成物特定手段）。
【００５７】
コンピュータ１５の中央処理部は、壁２３の構成物特定識別番号に対応する建造物特定識別番号を特定し、その建造物特定識別番号に対応する建造物（原子力発電所１６、中央制御室１７、タービン建屋１８、原子炉建屋１９）を特定する。さらに、建造物特定識別番号と構成物特定識別番号とに対応する建造物属性データを特定し、構成物特定識別番号に対応する構成物属性データを特定する。さらに、その壁２３が設置されていた建造物の属性データ（特定情報、解体期間、用途、建物容積等）、壁２３の属性データ（特定情報、解体期間、材質、強度、放射性レベル、危険性等）をハードディスクから取り出し、建造物や壁２３をディスプレイ２２に表示するとともに、それら属性データや番号データをディスプレイ２２に表示する。ディスプレイ２２に表示された各データは、プリンタから出力することができる。
【００５８】
ダクト２４を解体した解体物２６は、廃棄処分されるが、廃棄処分前や廃棄処分時、廃棄処分後に、図１１に示すように、バーコードリーダ１４を利用して解体物２６（ダクト２４の解体物２６）に貼付されたテープ１０のバーコード１１を読み取ることで、それら解体物２６が解体される以前の建造物（原子力発電所１６、中央制御室１７、タービン建屋１８、原子炉建屋１９）および設備物（ダクト２４）を確認することができるとともに、それら建造物および設備物の属性等を確認することができる。解体物２６に貼付されたテープ１０のバーコード１１を読み取ると、そのバーコード１１が表す番号データがバーコードリーダ１４からコンピュータ１５に転送される。コンピュータ１５の中央処理部は、バーコードリーダ１４から転送された番号データ（たとえば、００２２）とハードディスクに格納された番号データ（０００１〜００４０）とを比較し、解体物２６がダクト２４の解体物２６であると判断する（設備物特定手段）。
【００５９】
コンピュータ１５の中央処理部は、ダクト２４の設備物特定識別番号に対応する建造物特定識別番号を特定し、その建造物特定識別番号に対応する建造物（原子力発電所１６、中央制御室１７、タービン建屋１８、原子炉建屋１９）を特定する。さらに、建造物特定識別番号と設備物特定識別番号とに対応する建造物属性データを特定し、設備物特定識別番号に対応する設備物属性データを特定する。さらに、そのダクト２４が設置されていた建造物の属性データ（特定情報、解体期間、用途、建物容積等）、ダクト２４の属性データ（特定情報、解体期間、材質、強度、放射性レベル、危険性等）をハードディスクから取り出し、建造物やダクト２４をディスプレイ２２に表示するとともに、それら属性データや番号データをディスプレイ２２に表示する。ディスプレイ２２に表示された各データは、プリンタから出力することができる。
【００６０】
解体用テープ１０は、それが解体前の原子力発電所１６の壁２３（構成物）やダクト２４（設備物）に貼付され、バーコード１１が表す番号のうちの先頭番号と最後尾番号とがバーコードリーダ１４によって読み取られるとともに、先頭番号から最後尾番号までの番号が壁２３（構成物特定識別番号）またはダクト２４（設備物特定識別番号）に関連付けられ、壁２３やダクト２４を解体した後、各解体物２５，２６に残存する少なくとも１つのバーコード１１の番号をバーコードリーダ１４によって読み取ることによって、解体物２５，２６が解体される前の壁２３またはダクト２４を特定することができるから、テープ１０に表示されたバーコード１１を利用することで、複数の解体物２５，２６が属する構成物や設備物を各解体物２５，２６毎に特定することができ、原子力発電所１６の構成物や設備物の解体後にそれら解体物２５，２６が属していた構成物や設備物を追跡かつ把握することができる。
【００６１】
解体用テープ１０は、原子力発電所１５の壁２３（構成物）やダクト２４（設備物）が細かく解体されて複数の解体物２５，２６が発生したとしても、それら解体物２５，２６に貼付されたテープ１０のバーコード１１を介してそれら解体物２５，２６の解体前の壁２３やダクト２４を確実に特定することができるから、各解体物２５，２６の解体前の構成物や設備物を明らかにすることができ、解体物２５，２６の帰属不明を防ぐことができる。原子力発電所１６における解体作業では、放射能汚染を厳格に防ぐ目的から、複数の解体物２５，２６が属する構成物や設備物が解体後に追跡可能かつ把握可能であることが要求されるが、この解体用テープ１０を利用することで、原子力発電所１６の解体に要求されるそのような条件を満足させることができる。
【００６２】
解体用テープ１０は、そのバーコード１１を読み取ると、コンピュータ１５に格納された建造物の属性データ、壁２３（構成物）やダクト２４（設備物）の属性データが出力されるから、壁２３やダクト２４の解体後に解体物２５，２６が属する建造物の属性、壁２３やダクト２４の属性を各解体物２５，２６毎に把握することができ、解体物２５，２６を各構成物毎や各設備物毎であって属性毎に区分して管理することができる。原子力発電所１６における解体作業では、放射能汚染を厳格に防ぐ目的から、複数の解体物２５，２６が属する構成物の属性や設備物の属性が解体後に追跡可能かつ把握可能であるとともに、解体後のそれら解体物２５，２６が属する構成物や設備物の属性毎の管理が要求されるが、この解体用テープ１０を利用することで、原子力発電所１６の解体に要求されるそのような条件を満足させることができる。
【００６３】
図１２は、解体用テープ１０（ａ）〜１０（ｃ）の他の一例を示す図であり、図１３は、解体用テープ１０（ｄ）〜１０（ｆ）の他の一例を示す図である。図１４は、図１２に示す解体用テープ１０（ａ）〜１０（ｃ）が貼付された壁２７〜２９の斜視図であり、図１５は、各壁２７〜２９の解体作業の一例を示す図であり、図１６は、各壁２７〜２９を解体した後の解体物３３〜３５を示す図である。図１７は、図１３に示す解体用テープ１０（ｄ）〜１０（ｆ）が貼付されたダクト３０〜３２の斜視図であり、図１８は、各ダクト３０〜３２の解体作業の一例を示す図である。図１９は、各ダクト３０〜３２を解体した後の解体物３６〜３８を示す図である。
【００６４】
図１２，１３に示すテープ１０（ａ）〜１０（ｆ）は、各種複数の色、色彩（有彩色および無彩色）の各種複数の濃淡、各種複数の形、各種複数の記号によって複数種類に区分されている。それらテープ１０（ａ）〜１０（ｆ）は、その色が原子力発電所１６の構成物や設備物の各種の属性に対応し、その色彩の濃淡が構成物や設備物の各種の属性に対応するとともに、その形が構成物や設備物の各種の属性に対応し、その記号が構成物や設備物の各種の属性に対応している。なお、色、濃淡、形、記号でテープ１０を区分する場合、それらの組み合わせることによって２４種類に区分されたテープ１０を作ることができ、全てを図示はしていないが、それら全ての種類のテープ１０を使用することができる。また、色、濃淡、形、記号の他にテープ１０を区分可能な全ての識別子が含まれる。
【００６５】
解体用テープ１０（ａ）〜１０（ｆ）は、図示はしていないが、図１のそれと同様に、その平面形状が細長い帯に成型され、その帯を巻き取った巻物状に加工されている。それらテープ１０（ａ）〜１０（ｆ）の表面には、連続する無制限の番号（たとえば、１〜ｎの連続番号）を表す複数のバーコード１１が表示（印刷）されている。テープ１０（ａ）〜１０（ｆ）は、合成樹脂シートまたは紙シート若しくは合成樹脂シートと紙シートとの複合シートから作られ、その裏面に粘着剤１２が塗布されている（図２援用）。
【００６６】
テープ１０（ａ）〜１０（ｆ）の色に対応する原子力発電所１６の構成物や設備物の属性には、放射性物質による汚染レベル、名称、材質、危険性等があるが、テープ１０（ａ）〜１０（ｆ）の色に対応する構成物や設備物の属性に特に限定はなく、あらゆる属性を自由に設定することができる。図１２，１３では、２種類の色を例示しているが、テープ１０の色に特に限定はなく、目視可能かつ識別可能な全ての色によってテープ１０を複数種類に区分することができる。
【００６７】
テープ１０（ａ）〜１０（ｆ）の色彩の濃淡に対応する原子力発電所１６の構成物や設備物の属性には、放射性物質による汚染レベル、名称、材質、危険性等があるが、テープ１０（ａ）〜１０（ｆ）の色彩の濃淡に対応する構成物や設備物の属性に特に限定はなく、あらゆる属性を自由に設定することができる。図１２，１３では、３種類の濃淡を例示しているが、テープ１０の色彩の濃淡に特に限定はなく、目視可能かつ識別可能な全ての濃淡によってテープ１０を複数種類に区分することができる。
【００６８】
テープ１０（ａ）〜１０（ｆ）の形に対応する原子力発電所１６の構成物や設備物の属性には、放射性物質による汚染レベル、名称、材質、危険性等があるが、テープ１０（ａ）〜１０（ｆ）の形に対応する構成物や設備物の属性に特に限定はなく、あらゆる属性を自由に設定することができる。図１２，１３では、２種類の形を例示しているが、テープ１０の形に特に限定はなく、目視可能かつ識別可能な全ての形によってテープ１０を複数種類に区分することができる。
【００６９】
テープ１０（ａ）〜１０（ｆ）の記号に対応する原子力発電所１６の構成物や設備物の属性には、放射性物質による汚染レベル、名称、材質、危険性等があるが、テープ１０（ａ）〜１０（ｆ）の記号に対応する構成物や設備物の属性に特に限定はなく、あらゆる属性を自由に設定することができる。図１２，１３では、３種類の記号を例示しているが、テープ１０に表示する記号に特に限定はなく、目視可能かつ識別可能な全ての記号によってテープ１０を複数種類に区分することができる。
【００７０】
図１２に示すテープ１０（ａ）〜１０（ｃ）のうちの（ａ）のテープ１０（ａ）は、長さ方向へ円弧を画くように起伏する形であり、１番薄い青色に着色され、記号（Ａ）が表示されている。テープ１０（ａ）は、その一例として、中央制御室１７の構成物である壁２７の解体に利用され、壁２７の属性の一例として、名称（壁）（たとえば、テープの形が名称を表す。）、材質（鉄筋コンクリート）（たとえば、テープの色が材質を表す。）、放射性物質の汚染レベル（低）（たとえば、テープの色彩の濃淡が放射性物質の汚染レベルを表す。）、危険性（小）（たとえば、テープの記号が危険性を表す。）を表す。
【００７１】
図１２の（ａ）のテープ１０（ａ）に表示されたバーコード１１には、番号データを表すコードのみならず、テープ１０（ａ）の色を表すコード、テープ１０（ａ）の色彩の濃淡を表すコード、テープ１０（ａ）の形を表すコード、テープ１０（ａ）の記号を表すコードが含まれている（ただし、バーコード１１にそれらのコードが含まれていない場合もある。）。コンピュータ１５のハードディスクには、複数の原子力発電所の原子力発電所コードとそれらコードに対応する複数の建造物特定識別番号（建造物特定識別子）とが格納され、中央制御室コードやタービン建屋コード、原子炉建屋コード等とそれらコードに対応する複数の建造物特定識別番号（建造物特定識別子）とが格納されている。
【００７２】
コンピュータ１５のハードディスクには、テープ１０（ａ）の色を表すコードデータ、テープ１０（ａ）の色彩の濃淡を表すコードデータ、テープ１０（ａ）の形を表すコードデータ、テープ１０（ａ）の記号を表すコードデータ、中央制御室１７の壁２７の前記属性データ（名称（壁）、材質（鉄筋コンクリート）、放射性物質の汚染レベル（低）、危険性（小））が互いに関連付けられた状態で格納されている。
【００７３】
図１２に示すテープ１０（ａ）〜１０（ｃ）のうちの（ｂ）のテープ１０（ｂ）は、長さ方向へ円弧を画くように起伏する形であり、２番目に濃い青色に着色され、記号（Ｂ）が表示されている。テープ１０（ｂ）は、その一例として、タービン建屋１８の構成物である壁２８の解体に利用され、壁２８の属性の一例として、名称（壁）、材質（鉄筋コンクリート）、放射性物質の汚染レベル（中）、危険性（中）を表す。
【００７４】
図１２の（ｂ）のテープ１０（ｂ）に表示されたバーコード１１には、番号データを表すコードのみならず、テープ１０（ｂ）の色を表すコード、テープ１０（ｂ）の色彩の濃淡を表すコード、テープ１０（ｂ）の形を表すコード、テープ１０（ｂ）の記号を表すコードが含まれている（ただし、バーコード１１にそれらのコードが含まれていない場合もある。）。コンピュータ１５のハードディスクには、テープ１０（ｂ）の色を表すコードデータ、テープ１０（ｂ）の色彩の濃淡を表すコード、テープ１０（ｂ）の形を表すコードデータ、テープ１０（ｂ）の記号を表すコードデータ、タービン建屋１８の壁２８の前記属性データ（名称（壁）、材質（鉄筋コンクリート）、放射性物質の汚染レベル（中）、解体危険性（中））が互いに関連付けられた状態で格納されている。
【００７５】
図１２に示すテープ１０（ａ）〜１０（ｃ）のうちの（ｃ）のテープ１０（ｃ）は、長さ方向へ円弧を画くように起伏する形であり、１番濃い青色に着色され、記号（Ｃ）が表示されている。テープ１０（ｃ）は、その一例として、原子炉建屋１９の構成物である壁２９の解体に利用され、壁２９の属性の一例として、名称（壁）、材質（鉄筋コンクリート）、放射性物質の汚染レベル（高）、危険性（高）を表す。
【００７６】
図１２の（ｃ）のテープ１０（ｃ）に表示されたバーコード１１には、番号データを表すコードのみならず、テープ１０（ｃ）の色を表すコード、テープ１０（ｃ）の色彩の濃淡を表すコード、テープ１０（ｃ）の形を表すコード、テープ１０（ｃ）の記号を表すコードが含まれている（ただし、バーコード１１にそれらのコードが含まれていない場合もある。）。コンピュータ１５のハードディスクには、テープ１０（ｃ）の色を表すコードデータ、テープ１０（ｃ）の色彩の濃淡を表すコードデータ、テープ１０（ｃ）の形を表すコードデータ、テープ１０（ｃ）の記号を表すコードデータ、原子炉建屋１９の壁２９の前記属性データ（名称（壁）、材質（鉄筋コンクリート）、放射性物質の汚染レベル（高）、解体危険度（高））が互いに関連付けられた状態で格納されている。
【００７７】
図１３に示すテープ１０（ｄ）〜１０（ｆ）のうちの（ａ）のテープ１０（ｄ）は、長さ方向へ複数の四角形を画く形であり、１番薄い緑色に着色され、記号（Ａ）が表示されている。図１３の（ａ）のテープ１０（ｄ）は、その一例として、中央制御室１７の設備物であるダクト３０の解体に利用され、ダクト３０の属性の一例として、名称（ダクト）（たとえば、テープの形が名称を表す。）、材質（金属製）（たとえば、テープの色が材質を表す。）、放射性物質の汚染レベル（低）（たとえば、テープの色彩の濃淡が放射性物質の汚染レベルを表す。）、危険性（小）（たとえば、テープの記号が危険性を表す。）を表す。
【００７８】
図１３の（ａ）のテープ１０（ｄ）に表示されたバーコード１１には、番号データを表すコードのみならず、テープ１０（ｄ）の色を表すコード、テープ１０（ｄ）の色彩の濃淡を表すコード、テープ１０（ｄ）の形を表すコード、テープ１０（ｄ）の記号を表すコードが含まれている（ただし、バーコード１１にそれらのコードが含まれていない場合もある。）。コンピュータ１５のハードディスクには、テープ１０（ｄ）の色を表すコードデータ、テープ１０（ｄ）の色彩の濃淡を表すコードデータ、テープ１０（ｄ）の形を表すコードデータ、テープ１０（ｄ）の記号を表すコードデータ、中央制御室１７のダクト３０の前記属性データ（名称（ダクト）、材質（金属製）、放射性物質の汚染レベル（低）、危険性（小））が互いに関連付けられた状態で格納されている。
【００７９】
図１３に示すテープ１０（ｄ）〜１０（ｆ）のうちの（ｂ）のテープ１０（ｅ）は、長さ方向へ複数の四角形を画く形であり、２番目に濃い緑色に着色され、記号（Ｂ）が表示されている。テープ１０（ｅ）は、その一例として、タービン建屋１８の設備物であるダクト３１の解体に利用され、ダクト３１の属性の一例として、名称（ダクト）、材質（金属製）、放射性物質の汚染レベル（中）、危険性（中）を表す。
【００８０】
図１３の（ｂ）のテープ１０（ｅ）に表示されたバーコード１１には、番号データを表すコードのみならず、テープ１０（ｅ）の色を表すコード、テープ１０（ｅ）の色彩の濃淡を表すコード、テープ１０（ｅ）の形を表すコード、テープ１０（ｅ）の記号を表すコードが含まれている（ただし、バーコード１１にそれらのコードが含まれていない場合もある。）。コンピュータ１５のハードディスクには、テープ１０（ｅ）の色を表すコードデータ、テープ１０（ｅ）の色彩の濃淡を表すコードデータ、テープ１０（ｅ）の形を表すコードデータ、テープ１０（ｅ）の記号を表すコードデータ、タービン建屋１８のダクト３１の前記属性データ（名称（ダクト）、材質（金属製）、放射性物質の汚染レベル（中）、危険性（中））が互いに関連付けられた状態で格納されている。
【００８１】
図１３に示すテープ１０（ｄ）〜１０（ｆ）のうちの（ｃ）のテープ１０（ｆ）は、長さ方向へ複数の四角形を画く形であり、１番濃い緑色に着色され、記号（Ｃ）が表示されている。テープ１０（ｆ）は、その一例として、原子炉建屋１９の設備物であるダクト３２の解体に利用され、ダクト３２の属性の一例として、名称（ダクト）、材質（金属製）、放射性物質の汚染レベル（高）、危険性（高）を表す。
【００８２】
図１３の（ｃ）のテープ１０（ｆ）に表示されたバーコード１１には、番号データを表すコードのみならず、テープ１０（ｆ）の色を表すコード、テープ１０（ｆ）の色彩の濃淡を表すコード、テープ１０（ｆ）の形を表すコード、テープ１０（ｆ）の記号を表すコードが含まれている（ただし、バーコード１１にそれらのコードが含まれていない場合もある。）。コンピュータ１５のハードディスクには、テープ１０（ｆ）の色を表すコードデータ、テープ１０（ｆ）の色彩の濃淡を表すコードデータ、テープ１０（ｆ）の形を表すコードデータ、テープ１０（ｆ）の記号を表すコードデータ、原子炉建屋１９のダクト３２の前記属性データ（名称（ダクト）、材質（金属製）、放射性物質の汚染レベル（高）、危険性（高））が互いに関連付けられた状態で格納されている。
【００８３】
図１４〜図１６に基づいて壁２７〜２９の解体を説明すると、以下のとおりである。なお、図１４では、中央制御室１７、タービン建屋１８、原子炉建屋１９の各壁２７〜２９に解体用テープ１０（ａ）〜１０（ｃ）が貼付され、それらテープ１０（ａ）〜１０（ｃ）に表示されたバーコード１４がバーコードリーダ１２によって読み取られている。図１６では、それら壁２７〜２９の解体物３３〜３５を１つだけ示し、それら解体物３３〜３５に貼付されたテープ１０（ａ）〜１０（ｃ）のバーコード１１がバーコードリーダ１４によって読み取られている。
【００８４】
原子力発電所１６（建造物）の中央制御室１７、タービン建屋１８、原子炉建屋１９（建造物）を構成する解体対象の構成物（壁、柱、梁、床スラブ等）を区分けした後、それら壁２７〜２９に解体用テープ１０（ａ）〜１０（ｃ）を貼付する。具体的には、図１４（ａ）に示すように、図１２の（ａ）のテープ１０（ａ）を中央制御室１７の壁２７の一面にランダムに貼付し、図１４（ｂ）に示すように、図１２の（ｂ）のテープ１０（ｂ）をタービン建屋１８の壁２８の一面にランダムに貼付するとともに、図１４（ｃ）に示すように、図１２の（ｃ）のテープ１０（ｃ）を原子炉建屋１９の壁２９の一面にランダムに貼付する。
【００８５】
それらテープ１０（ａ）〜１０（ｃ）を各壁２７〜２９に貼付した後、テープ１０（ａ）〜１０（ｃ）に表示されたバーコード１１のうち、先頭に位置するバーコード１１をバーコードリーダ１４によって読み取るとともに、最後尾に位置するバーコード１１をバーコードリーダ１４によって読み取る。なお、先頭に位置するバーコード１１と最後尾に位置するバーコード１１との間に並ぶ中間のバーコード１１は読み取らない。
【００８６】
さらに、バーコードリーダ１４のテンキーユニットまたはコンピュータ１５のキーボード２０やマウス２１を利用し、原子力発電所１６の名称を入力し（ディスプレイ２に表示された複数の原子力発電所のプルダウンリストから発電所名を選択することもできる。）、中央制御室、タービン建屋、原子炉建屋（名称）のいずれかを入力するとともに（ディスプレイ２２に表示された原子力発電所建造物のプルダウンリストからそれらを選択することもできる。）、壁（名称）を入力する（ディスプレイ２２に表示された構成物表示のプルダウンリストから壁を選択することもできる）。
【００８７】
バーコードリーダ１４のテンキーユニットまたはコンピュータ１５のキーボード２０やマウス２１を利用し、原子力発電所１６の特定情報（名称、住所、地図、写真、電話番号、ＵＲＬ等）、中央制御室１７やタービン建屋１８、原子炉建屋１９の特定情報（名称、住所、地図、写真等）、解体期間（年月日〜年月日）、用途、建物容積等を入力するとともに（建造物属性入力）、壁２７〜２９の特定情報（中央制御室２３の入口壁、タービン建屋２４の出口壁等）、解体期間（年月日〜年月日）、強度等を入力する（構成物属性入力）。なお、入力可能な壁２７〜２９の属性に特に限定はなく、例示の属性に限らず、他のあらゆる属性を入力することができる。
【００８８】
バーコードリーダ１４は、読み取ったバーコード１１が表すデータや入力されたデータをデジタルデータに変換し、それらデータをコンピュータ１５に転送する（キーボード２０やマウス２１からデータを入力した場合、バーコードリーダ１４は、読み取ったバーコード１１が表すデータのみをコンピュータ１５に転送する）。コンピュータ１５の中央処理部は、バーコードリーダ１４からそれらデータを受け取ると、バーコードが表す番号、テープ１０（ａ）〜１０（ｃ）の色、テープ１０（ａ）〜１０（ｃ）の色彩の濃淡、テープ１０（ａ）〜１０（ｃ）の形、テープ１０（ａ）〜１０（ｃ）記号、バーコードが表す各属性（名称、材質、放射性物質の汚染レベル、危険性）、入力された原子力発電所１６や中央制御室１７、タービン建屋１８、原子炉建屋１９の建造物属性および壁２７〜２９の構成物属性をディスプレイ２２に表示する。
【００８９】
各データをディスプレイ２２に表示し、それらデータの確認が行われた後、コンピュータ１５の中央処理部は、原子力発電所１６や中央制御室１７、タービン建屋１８、原子炉建屋１９（建造物）を特定する建造物特定識別番号（建造物特定識別子）を生成するとともに、壁２７〜２９（構成物）を特定する構成物特定識別番号（構成物特定識別子）を生成する。
【００９０】
建造物特定識別番号と構成物特定識別番号とを生成した後、コンピュータ１５の中央処理部は、原子力発電所１６を特定する建造物特定識別番号に構成物特定識別番号を関連付け、中央制御室１７、タービン建屋１８、原子炉建屋１９のいずれかを特定する建造物特定識別番号に構成物特定識別番号を関連付けるとともに、バーコードリーダ１４から転送された先頭番号から最後尾番号までの番号データ（たとえば、図１２（ａ）のテープ１０（ａ）の先頭番号が０１００、最後尾番号が０１５０の場合、０１００〜０１５０までの番号、図１２（ｂ）のテープ１０（ｂ）の先頭番号が０１５１、最後尾番号が０２００の場合、０１５１〜０２００までの番号、図１２（ｃ）のテープ１０（ｃ）の先頭番号が０２０１、最後尾番号が０２６０の場合、０２０１〜０２６０までの番号）を建造物特定識別番号と構成物特定識別番号とに関連付ける。
【００９１】
さらに、転送された建造物属性データを建造物特定識別番号と構成物特定識別番号とに関連付け、転送された構成物属性データを構成物特定識別番号に関連付けるとともに、バーコード１１が表す属性データを構成物特定識別番号に関連付ける。それらの関連づけが完了した後、コンピュータ１５の中央処理部は、建造物特定識別番号、構成物特定識別番号、番号データ、建造物属性データ、壁２７〜２９の構成物属性データ、バーコード１１が表す属性データをハードディスクに格納する（構成物格納手段）。バーコードリーダ１４やコンピュータ１５のディスプレイ２２には、中央制御室１７→壁２７、タービン建屋１８→壁２８、原子炉建屋１９→壁２９のデータ格納完了メッセージが表示される。
【００９２】
各データがコンピュータ１５のハードディスクに格納された後、それら壁２７〜２９の解体作業を行う。解体作業では、図１５（ａ）〜（ｃ）に示すように、壁２７〜２９を細かく解体し、壁２７〜２９を複数個の解体物３３〜３５に分解する。解体された壁２７〜２９の解体物３３〜３５にはテープ１０（ａ）〜１０（ｃ）が残存しており、それらテープ１０（ａ）〜１０（ｃ）に表示されたバーコード１１が１つの場合、２つの場合、３つの場合等がある。なお、壁２７〜２９のそれら解体物３３〜３５に貼付されたテープ１０（ａ）〜１０（ｃ）には、少なくとも１つのバーコード１１が読み取り可能に残存している。
【００９３】
壁２７〜２９を解体した解体物３３〜３５の廃棄処分前や廃棄処分時、廃棄処分後に、図１６（ａ）〜（ｃ）に示すように、バーコードリーダ１４を利用して解体物３３〜３５（壁２７〜２９の解体物３３〜３５）に貼付されたテープ１０（ａ）〜１０（ｃ）のバーコード１１を読み取ることで、それら解体物３３〜３５が解体される以前の建造物（原子力発電所１６、中央制御室１７、タービン建屋１８、原子炉建屋１９）および構成物（壁２７〜２９）を確認することができるとともに、それら建造物および構成物の属性等を確認することができる。
【００９４】
解体物３３〜３５のテープ１０（ａ）〜１０（ｃ）のバーコード１１を読み取ると、そのバーコード１１が表す番号データがバーコードリーダ１４からコンピュータ１５に転送される。コンピュータ１５の中央処理部は、バーコードリーダ１４から転送された番号データとハードディスクに格納された番号データとを比較し、解体物３３〜３５が壁２７〜２９の解体物３３〜３５であると判断する（構成物特定手段）。
【００９５】
たとえば、バーコードリーダ１４から転送された番号データが０１２６である場合、ハードディスクに格納された番号データと比較し、その解体物３３が中央制御室１７を構成していた壁２７の解体物３３であると判断する。バーコードリーダ１４から転送された番号データが０１８２である場合、ハードディスクに格納された番号データと比較し、その解体物３４がタービン建屋１８を構成していた壁２８の解体物３４であると判断する。さらに、バーコードリーダ１４から転送された番号データが０２５５である場合、ハードディスクに格納された番号データと比較し、その解体物３５が原子炉建屋１９を構成していた壁２９の解体物３５であると判断する。
【００９６】
コンピュータ１５の中央処理部は、壁２７〜２９（構成物）の構成物特定識別番号に対応する建造物特定識別番号を特定し、その建造物特定識別番号に対応する原子力発電所１６（建造物）を特定しつつ、中央制御室１７、タービン建屋１８、原子炉建屋１９のいずれかを特定する。さらに、建造物特定識別番号と構成物特定識別番号とに対応する建造物属性データを特定し、構成物特定識別番号に対応する構成物属性データを特定する。
【００９７】
コンピュータ１５の中央処理部は、中央制御室１７→壁２７やタービン建屋１８→壁２８、原子炉建屋１９→壁２９の別とともに、バーコードが表す番号、テープ１０（ａ）〜１０（ｃ）の色、テープ１０（ａ）〜１０（ｃ）の色彩の濃淡、テープ１０（ａ）〜１０（ｃ）の形、テープ１０（ａ）〜１０（ｃ）の記号、バーコード１１が表す壁２７〜２９の各属性（名称、材質、放射性物質の汚染レベル、危険性）、入力された原子力発電所１６や中央制御室１７、タービン建屋１８、原子炉建屋１９の建造物属性および壁２７〜２９の構成物属性をディスプレイ２２に表示する。ディスプレイ２２に表示された各データは、プリンタから出力することができる。
【００９８】
図１７〜図１９に基づいてダクト３０〜３２の解体を説明すると、以下のとおりである。なお、図１７では、中央制御室１７、タービン建屋１８、原子炉建屋１９の各ダクト３０〜３２に解体用テープ１０（ｄ）〜１０（ｆ）が貼付され、それらテープ１０（ｄ）〜１０（ｆ）に表示されたバーコード１４がバーコードリーダ１２によって読み取られている。図１９では、それらダクト３０〜３２の解体物３６〜３８を１つだけ示し、それら解体物３６〜３８に貼付されたテープ１０（ｄ）〜１０（ｆ）のバーコード１１がバーコードリーダ１４によって読み取られている。
【００９９】
原子力発電所１６（建造物）の中央制御室１７、タービン建屋１８、原子炉建屋１９（建造物）に設備された解体対象の設備物（ダクト、ドア、照明器具、タービン、発電機等）を区分けした後、それらダクト３０〜３２に解体用テープ１０（ｄ）〜１０（ｆ）を貼付する。具体的には、図１７（ａ）に示すように、図１３の（ａ）のテープ１０（ｄ）を中央制御室１７のダクト３０の周面にランダムに貼付し、図１７（ｂ）に示すように、図１３の（ｂ）のテープ１０（ｅ）をタービン建屋１８のダクト３１の周面にランダムに貼付するとともに、図１７（ｃ）に示すように、図１３の（ｃ）のテープ１０（ｆ）を原子炉建屋１９のダクト３２の周面にランダムに貼付する。
【０１００】
それらテープ１０（ｄ）〜１０（ｆ）を各ダクト３０〜３２に貼付した後、テープ１０（ｄ）〜１０（ｆ）に表示されたバーコード１１のうち、先頭に位置するバーコード１１をバーコードリーダ１４によって読み取るとともに、最後尾に位置するバーコード１１をバーコードリーダ１４によって読み取る。なお、先頭に位置するバーコード１１と最後尾に位置するバーコード１１との間に並ぶ中間のバーコード１１は読み取らない。
【０１０１】
さらに、バーコードリーダ１４のテンキーユニットまたはコンピュータ１５のキーボード２０やマウス２１を利用し、原子力発電所１６の名称を入力し、中央制御室、タービン建屋、原子炉建屋（名称）のいずれかを入力するとともに、ダクト（名称）を入力する（ディスプレイ２２に表示された構成物表示のプルダウンリストからダクトを選択することもできる）。
【０１０２】
バーコードリーダ１４のテンキーユニットまたはコンピュータ１５のキーボード２０やマウス２１を利用し、原子力発電所１６の特定情報（名称、住所、地図、写真、電話番号、ＵＲＬ等）、中央制御室１７やタービン建屋１８、原子炉建屋１９の特定情報（名称、住所、地図、写真等）、解体期間（年月日〜年月日）、用途、建物容積等を入力するとともに（建造物属性入力）、ダクト３０〜３２の特定情報（中央制御室２３の天井設置、原子炉建屋２５の天井設置、給気系統、排気系統等）、解体期間（年月日〜年月日）、強度等を入力する（設備物属性入力）。なお、入力可能なダクト３０〜３２の属性に特に限定はなく、例示の属性に限らず、他のあらゆる属性を入力することができる。
【０１０３】
バーコードリーダ１４は、読み取ったバーコード１１が表すデータや入力されたデータをコンピュータ１５に転送する。コンピュータ１５の中央処理部は、バーコードリーダ１４からそれらデータを受け取ると、バーコードが表す番号、テープ１０（ｄ）〜１０（ｆ）の色、テープ１０（ｄ）〜１０（ｆ）の色彩の濃淡、テープ１０（ｄ）〜１０（ｆ）の形、テープ１０（ｄ）〜１０（ｆ）の記号、バーコードが表す各属性（名称、材質、放射性物質の汚染レベル、危険性）、入力された原子力発電所１６や中央制御室１７、タービン建屋１８、原子炉建屋１９の建造物属性およびダクト３０〜３２の構成物属性をディスプレイ２２に表示する。
【０１０４】
各データをディスプレイ２２に表示し、それらデータの確認が行われた後、コンピュータ１５の中央処理部は、原子力発電所１６や中央制御室１７、タービン建屋１８、原子炉建屋１９（建造物）を特定する建造物特定識別番号（建造物特定識別子）を生成するとともに、ダクト３０〜３２（設備物）を特定する設備物特定識別番号（設備物特定識別子）を生成する。
【０１０５】
建造物特定識別番号と設備物特定識別番号とを生成した後、コンピュータ１５の中央処理部は、原子力発電所１６を特定する建造物特定識別番号に設備物特定識別番号を関連付け、中央制御室１７、タービン建屋１８、原子炉建屋１９のいずれかを特定する建造物特定識別番号に設備物特定識別番号を関連付けるとともに、バーコードリーダ１４から転送された先頭番号から最後尾番号までの番号データ（たとえば、図１３（ａ）のテープ１０（ｄ）の先頭番号が０３００、最後尾番号が０３５０の場合、０３００〜０３５０までの番号、図１３（ｂ）のテープ１０（ｅ）の先頭番号が０３５１、最後尾番号が０４００の場合、０３５１〜０４００までの番号、図１３（ｃ）のテープ１０（ｆ）の先頭番号が０４０１、最後尾番号が０４６０の場合、０４０１〜０４６０までの番号）を建造物特定識別番号と設備物特定識別番号とに関連付ける。
【０１０６】
さらに、転送された建造物属性データを建造物特定識別番号と設備物特定識別番号とに関連付け、転送された設備物属性データを設備物特定識別番号に関連付けるとともに、バーコード１１が表す属性データを設備物特定識別番号に関連付ける。それらの関連づけが完了した後、コンピュータ１５の中央処理部は、建造物特定識別番号、設備物特定識別番号、番号データ、建造物属性データ、ダクト３０〜３２の設備物属性データ、バーコード１１が表す属性データをハードディスクに格納する（設備物格納手段）。バーコードリーダ１４やコンピュータ１５のディスプレイ２２には、中央制御室１７→ダクト３０、タービン建屋１８→ダクト３１、原子炉建屋１９→ダクト３２のデータ格納完了メッセージが表示される。
【０１０７】
各データがコンピュータ１５のハードディスクに格納された後、それらダクト３０〜３２の解体作業を行う。解体作業では、図１８（ａ）〜（ｃ）に示すように、ダクト３０〜３２を細かく解体し、ダクト３０〜３２を複数個の解体物３６〜３８に分解する。解体されたダクト３０〜３２の解体物３６〜３８にはテープ１０（ｄ）〜１０（ｆ）が残存しており、それらテープ１０（ｄ）〜１０（ｆ）に表示されたバーコード１１が１つの場合、２つの場合、３つの場合等がある。なお、ダクト３０〜３２のそれら解体物３６〜３８に貼付されたテープ１０（ｄ）〜１０（ｆ）には、少なくとも１つのバーコード１１が読み取り可能に残存している。
【０１０８】
ダクト３０〜３２を解体した解体物３６〜３８の廃棄処分前や廃棄処分時、廃棄処分後に、図１９（ａ）〜（ｃ）に示すように、バーコードリーダ１４を利用して解体物３６〜３８（ダクト３０〜３２の解体物３６〜３８）に貼付されたテープ１０（ｄ）〜１０（ｆ）のバーコード１１を読み取ることで、それら解体物３６〜３８が解体される以前の建造物（原子力発電所１６、中央制御室１７、タービン建屋１８、原子炉建屋１９）および設備物（ダクト３０〜３２）を確認することができるとともに、それら建造物および設備物の属性等を確認することができる。
【０１０９】
解体物３６〜３８のテープ１０（ｄ）〜１０（ｆ）のバーコード１１を読み取ると、そのバーコード１１が表す番号データがバーコードリーダ１４からコンピュータ１５に転送される。コンピュータ１５の中央処理部は、バーコードリーダ１４から転送された番号データとハードディスクに格納された番号データとを比較し、解体物３６〜３８がダクト３０〜３２の解体物３６〜３８であると判断する（設備物特定手段）。
【０１１０】
たとえば、バーコードリーダ１４から転送された番号データが０３３８である場合、ハードディスクに格納された番号データと比較し、その解体物３６が中央制御室１７に設備されていたダクト３０の解体物３６であると判断する。バーコードリーダ１４から転送された番号データが０３８１である場合、ハードディスクに格納された番号データと比較し、その解体物３７がタービン建屋１８に設備されていたダクト３１の解体物３７であると判断する。さらに、バーコードリーダ１４から転送された番号データが０４０７である場合、ハードディスクに格納された番号データと比較し、その解体物３８が原子炉建屋１９に設備されていたダクト３２の解体物３８であると判断する。
【０１１１】
コンピュータ１５の中央処理部は、ダクト３０〜３２（設備物）の設備物特定識別番号に対応する建造物特定識別番号を特定し、その建造物特定識別番号に対応する原子力発電所１６（建造物）を特定しつつ、中央制御室１７、タービン建屋１８、原子炉建屋１９のいずれかを特定する。さらに、建造物特定識別番号と設備物特定識別番号とに対応する建造物属性データを特定し、設備物特定識別番号に対応する設備物属性データを特定する。
【０１１２】
コンピュータ１５の中央処理部は、中央制御室１７→ダクト３０やタービン建屋１８→ダクト３１、原子炉建屋１９→ダクト３２の別とともに、バーコードが表す番号、テープ１０（ｄ）〜１０（ｆ）の色、テープ１０（ｄ）〜１０（ｆ）の色彩の濃淡、テープ１０（ｄ）〜１０（ｆ）の形、テープ１０（ｄ）〜１０（ｆ）の記号、バーコード１１が表すダクト３０〜３２の各属性（名称、材質、放射性物質の汚染レベル、危険性）、入力された原子力発電所１６や中央制御室１７、タービン建屋１８、原子炉建屋１９の建造物属性およびダクト３０〜３２の設備物属性をディスプレイ２２に表示する。ディスプレイ２２に表示された各データは、プリンタから出力することができる。
【０１１３】
解体用テープ１０（ａ）〜１０（ｆ）は、それを利用することで、解体物３３〜３５が属する原子力発電所１６の中央制御室１７やタービン建屋１８、原子炉建屋１９を構成する壁２７〜２９（構成物）を各解体物３３〜３５毎に特定することができ、壁２７〜２９の解体後に各解体物３３〜３５が属していた原子力発電所１６の構成物（壁２７〜２９）を追跡かつ把握することができる。また、テープ１０（ａ）〜１０（ｆ）は、それを利用することで、解体物３６〜３８が属する原子力発電所１６の中央制御室１７やタービン建屋１８、原子炉建屋１９に設備されたダクト３０〜３２（設備物）を各解体物３６〜３８毎に特定することができ、ダクト３０〜３２の解体後に各解体物３６〜３８が属していた原子力発電所１６の設備物（ダクト３０〜３２）を追跡かつ把握することができる。
【０１１４】
解体用テープ１０（ａ）〜１０（ｆ）は、原子力発電所１６の中央制御室１７やタービン建屋１８、原子炉建屋１９の壁２７〜２９（構成物）やダクト３０〜３２（設備物）が細かく解体されて複数の解体物３３〜３８が発生したとしても、それら解体物３３〜３８に貼付されたテープ１０（ａ）〜１０（ｆ）のバーコード１１を介してそれら解体物３３〜３８の解体前の構成物（壁２７〜２９）や設備物（ダクト３０〜３２）を確実に特定することができる。テープ１０（ａ）〜１０（ｆ）は、それに表示されたバーコード１１を利用し、それら解体物３３〜３８の解体前の構成物（壁２７〜２９）や設備物（ダクト３０〜３２）を特定することができるから、原子力発電所１６の中央制御室１７やタービン建屋１８、原子炉建屋１９の壁２７〜２９やダクト３０〜３２を解体した解体物３３〜３８が壁２７〜２９やダクト３０〜３２の解体物群からはぐれたり、解体物３３〜３８が原子力発電所２２の他の構成物や他の設備物の解体物として紛れ込んだとしても、解体前の構成物（壁２７〜２９）や設備物（ダクト３０〜３２）を明らかにすることができ、解体物３３〜３８の帰属不明を防ぐことができる。
【０１１５】
解体用テープ１０（ａ）〜１０（ｆ）は、それに表示されたバーコード１１を読み取ると、コンピュータ１５に格納された建造物の属性データ、壁２７〜２９（構成物）やダクト３０〜３２（設備物）の属性データが出力されるから、壁２７〜２９やダクト３０〜３２の解体後に解体物３３〜３８が属する建造物の属性、壁２７〜２９（構成物）やダクト３０〜３２（設備物）の属性を各解体物３３〜３８毎に把握することができ、解体物３３〜３８を各構成物毎や各設備物毎であって属性毎に区分して管理することができる。テープ１０（ａ）〜１０（ｆ）は、構成物（壁２７〜２９）や設備物（ダクト３０〜３２）の解体後においてテープ１０（ａ）〜１０（ｆ）の色や濃淡、形、記号に対応した構成物（壁２７〜２９）や設備物（ダクト３０〜３２）の属性が出力されるから、テープ１０（ａ）〜１０（ｆ）の色や濃淡、形、記号によって解体物３３〜３８が属する構成物や設備物の属性を各解体物毎に把握することができ、解体物３３〜３８を構成物毎や設備物毎であって属性毎に区分して管理することができる。
【０１１６】
図２０〜図２３は、解体用テープの他の一例を示す図である。図２０のテープ１１（ｇ）〜１１（ｈ）は、色が異なるテープであって、色のみによって区分されている。テープ１１（ｇ）〜１１（ｈ）は、図示はしていないが、図１のそれと同様に、その平面形状が細長い帯に成型され、その帯を巻き取った巻物状に加工されている。テープ１１（ｇ）〜１１（ｈ）の表面には、連続する無制限の番号を表す複数のバーコード１１が表示（印刷）されている。このテープ１１（ｇ）〜１１（ｈ）は、その色によって解体対象の構成物や設備物の属性を表すことができる。なお、バーコードには、テープ１１（ｇ）〜１１（ｈ）の色を表すコードが含まれている（ただし、バーコード１１に色のコードが含まれていない場合もある。）。
【０１１７】
図２１のテープ１１（ｉ）〜１１（ｊ）は、色彩（有彩色または無彩色）の濃淡が異なるテープであって、濃淡のみによって区分されている。テープ１１（ｉ）〜１１（ｊ）は、図示はしていないが、図１のそれと同様に、その平面形状が細長い帯に成型され、その帯を巻き取った巻物状に加工されている。テープ１１（ｉ）〜１１（ｊ）の表面には、連続する無制限の番号を表す複数のバーコード１１が表示（印刷）されている。このテープ１１（ｉ）〜１１（ｊ）は、その濃淡によって解体対象の構成物や設備物の属性を表すことができる。なお、バーコードには、テープ１１（ｉ）〜１１（ｊ）の濃淡を表すコードが含まれている（ただし、バーコード１１に濃淡のコードが含まれていない場合もある。）。
【０１１８】
図２２のテープ１１（ｋ）〜１１（ｌ）は、形が異なるテープであって、形のみによって区分されている。テープ１１（ｋ）〜１１（ｌ）は、図示はしていないが、図１のそれと同様に、その平面形状が細長い帯に成型され、その帯を巻き取った巻物状に加工されている。テープ１１（ｋ）〜１１（ｌ）の表面には、連続する無制限の番号を表す複数のバーコード１１が表示（印刷）されている。このテープ１１（ｋ）〜１１（ｌ）は、その形によって解体対象の構成物や設備物の属性を表すことができる。なお、バーコードには、テープ１１（ｋ）〜１１（ｌ）の形を表すコードが含まれている（ただし、バーコード１１に形のコードが含まれていない場合もある。）。
【０１１９】
図２３のテープ１１（ｍ）〜１１（ｎ）は、記号が異なるテープであって、記号のみによって区分されている。テープ１１（ｍ）〜１１（ｎ）は、図示はしていないが、図１のそれと同様に、その平面形状が細長い帯に成型され、その帯を巻き取った巻物状に加工されている。テープ１１（ｍ）〜１１（ｎ）の表面には、連続する無制限の番号を表す複数のバーコード１１が表示（印刷）されている。このテープ１１（ｍ）〜１１（ｎ）は、その記号によって解体対象の構成物や設備物の属性を表すことができる。なお、バーコードには、テープ１１（ｍ）〜１１（ｎ）の記号を表すコードが含まれている（ただし、バーコード１１に記号のコードが含まれていない場合もある。）。
【符号の説明】
【０１２０】
１０    解体用テープ
１１    バーコード
１１（ａ）〜１１（ｎ）  解体用テープ
１２    粘着剤
１３    解体物管理システムコンピュータ
１４    バーコードリーダ
１５    コンピュータ
１６    原子力発電所（建造物）
１７    中央制御室（建造物）
１８    タービン建屋（建造物）
１９    原子力建屋（建造物）
２３    壁（構成物）
２４    ダクト（設備物）
２５    解体物（壁）
２６    解体物（ダクト）
２７    壁（構成物）
２８    壁（構成物）
２９    壁（構成物）
３０    ダクト（設備物）
３１    ダクト（設備物）
３２    ダクト（設備物）
３３〜３５  解体物（壁）
３６〜３８  解体物（ダクト）
【図１】
0005693910.tif 000002
【図２】
0005693910.tif 000003
【図３】
0005693910.tif 000004
【図４】
0005693910.tif 000005
【図５】
0005693910.tif 000006
【図６】
0005693910.tif 000007
【図７】
0005693910.tif 000008
【図８】
0005693910.tif 000009
【図９】
0005693910.tif 000010
【図１０】
0005693910.tif 000011
【図１１】
0005693910.tif 000012
【図１２】
0005693910.tif 000013
【図１３】
0005693910.tif 000014
【図１４】
0005693910.tif 000015
【図１５】
0005693910.tif 000016
【図１６】
0005693910.tif 000017
【図１７】
0005693910.tif 000018
【図１８】
0005693910.tif 000019
【図１９】
0005693910.tif 000020
【図２０】
0005693910.tif 000021
【図２１】
0005693910.tif 000022
【図２２】
0005693910.tif 000023
【図２３】
0005693910.tif 000024